(57)【要約】【課題】人間に視覚または嗅覚上の不快感を与えることのない包接水和物生成物質を含む水溶液および包接水和物生成物質を含む水溶液からなるスラリ、冷熱輸送媒体、蓄熱剤を得る。【解決手段】脱色処理及び脱臭処理のうち少なくとも１つの処理が施されたことを特徴とする包接水和物生成物質を含む水溶液および脱色処理及び脱臭処理のうち少なくとも１つの処理が施された包接水和物生成物質を含む水溶液からなることを特徴とするスラリ、冷熱輸送媒体、蓄熱剤。【選択図】            図１
2004263090.tif 000002
【特許請求の範囲】
【請求項１】
脱色処理及び脱臭処理のうち少なくとも１つの処理が施されたことを特徴とする包接水和物生成物質を含む水溶液。
【請求項２】
脱色処理及び脱臭処理のうち少なくとも１つの処理が施された包接水和物生成物質を含む水溶液からなるスラリ。
【請求項３】
脱色処理及び脱臭処理のうち少なくとも１つの処理が施された包接水和物生成物質を含む水溶液からなる冷熱輸送媒体。
【請求項４】
脱色処理及び脱臭処理のうち少なくとも１つの処理が施された包接水和物生成物質を含む水溶液からなる蓄熱剤。
【発明の詳細な説明】
【０００１】
【産業上の利用分野】
この発明は、包接水和物生成物質を含む水溶液および包接水和物生成物質を含む水溶液からなるスラリ、冷熱輸送媒体、蓄熱剤に関する。
【０００２】
【従来の技術】
冷熱の輸送媒体として、従来から気体水和物を用いることが検討されている。この気体水和物は、包接水和物とも呼ばれ、水分子で構成された籠状の包接格子の中に、メタン、エタン、プロパン、フロン１１、フロン１２等の気体分子がゲストとして包み込まれて結晶化する化合物である。
【０００３】
そして、この気体水和物は、結晶析出温度（臨界分解点温度）が氷点よりも高い５〜２０℃の温度範囲内にあり、その生成熱も氷の潜熱に近い７０〜９０ｃａｌ／ｇ  であるので、この気体水和物の特性を生かして、冷熱の蓄熱材あるいは冷熱の輸送媒体として利用することが検討されている。
【０００４】
特開平１０−２５９９７８号公報、特開平１１−２６４６８１号公報および特開２０００−９６０４１号公報には、水分子で構成された籠状の包接格子内に、オニウム塩がゲストとして包み込まれて結晶化する準包接水和物（液液クラスレ−ト）を有する冷熱輸送媒体または蓄熱剤が開示されている。そして、オニウム塩としては、テトラｎブチル基のようなＣ４Ｈ９基またはｉｓｏ−Ｃ５Ｈ１１基、例えばテトラｎブチルアンモニウム塩、テトラｉｓｏ−アミルアンモニウム塩、テトラｎブチルフォスフォニウム塩、およびトリｉｓｏ−アミルサルフォニウム塩の群から選択される１種または２種以上についての開示がある。
【０００５】
【発明が解決しようとする課題】
上述したような水溶液は、冷熱輸送媒体や蓄熱剤以外にも用途はありえるが、如何なる用途であれ、それを実際に運搬、使用、加工またはその他の取り扱いを行う者にとっては、個人差があるとはいえ、その色彩や臭いに大なり小なり難を感じるという問題がある。
【０００６】
特に、水溶液が冷熱輸送媒体または蓄熱剤として、施設の空調に使用される場合や、車両に積載された格納容器に格納され、目的地に向けて輸送されている場合に、水溶液が空調用配管や格納容器から漏洩すると、空調を行なっている施設の関係者や車両の運転者だけではなく、施設の周辺や車両の輸送経路にいる一般人にまで不快感を与えることになる。
【０００７】
この発明は、従来技術の上述のような問題点を解消するためになされたものであり、人間に視覚または嗅覚上の不快感を与えることのない包接水和物生成物質を含む水溶液および包接水和物生成物質を含む水溶液からなるスラリ、冷熱輸送媒体、蓄熱剤を提供することを目的としている。
【０００８】
【課題を解決するための手段】
この発明に係る包接水和物生成物質を含む水溶液は、脱色処理及び脱臭処理のうち少なくとも１つの処理が施されたものである。
【０００９】
また、この発明に係る包接水和物生成物質を含む水溶液からなるスラリは、脱色処理及び脱臭処理のうち少なくとも１つの処理が施されたものである。
【００１０】
また、この発明に係る包接水和物生成物質を含む水溶液からなる冷熱輸送媒体は、脱色処理及び脱臭処理のうち少なくとも１つの処理が施されたものである。
【００１１】
また、この発明に係る包接水和物生成物質を含む水溶液からなる蓄熱剤は、脱色処理及び脱臭処理のうち少なくとも１つの処理が施されたものである。
【００１２】
この発明に係る包接水和物生成物質を含む水溶液および包接水和物生成物質を含む水溶液からなるスラリ、冷熱輸送媒体、蓄熱剤においては、脱色処理及び脱臭処理のうち少なくとも１つの処理が施されているので、人間の視覚や嗅覚に不快感を与えることはない。
【００１３】
【発明の実施の形態】
本発明の実施の形態を図面を参照して説明する。図１は本発明の包接水和物生成物質を含む水溶液の第一の製造工程を示す工程図である。この製造工程は、脱臭と脱色を別々の処理装置で行う場合である。包接水和物生成物質を含む水溶液（以下、単に水溶液という）１は、脱臭工程Ａに送られ、その臭いが臭い検出器２により検出される。そして、その検出値は臭い判定器３に送られ、臭い判定器３にあらかじめ設定してある基準値と比較される。
【００１４】
臭いが基準値を上回っているときには、水溶液１は脱臭処理装置４に送られ脱臭された後、脱臭後の臭いが再び臭い検出器２により検出される。そして、その検出値は臭い判定器３に送られ、臭い判定器３にあらかじめ設定してある基準値と比較され、基準値未満であれば脱色工程Ｂに送られる。そして、その色が色検出器５により検出され、その検出値は色判定器６に送られ、色判定器６にあらかじめ設定してある基準値と比較される。
【００１５】
色が基準値を上回っているときには、水溶液１は脱色処理装置７に送られ脱色された後、脱色後の色が再び色検出器５により検出される。そして、その検出値は色判定器６に送られ、色判定器６にあらかじめ設定してある基準値と比較され、基準値未満であれば脱臭・脱色済み水溶液８として実用に供せられる。
【００１６】
なお、水溶液１の臭いおよび色のうち、いずれか１つが嗅覚上または視覚上において問題がないと判断されるものにおいては、脱臭工程または脱色工程を省略してもよい。
【００１７】
図２は本発明の包接水和物生成物質を含む水溶液の第二の製造工程を示す工程図である。この製造工程は、脱臭と脱色が同一の処置装置で行える場合である。包接水和物生成物質を含む水溶液（以下、単に水溶液という）１１は、脱臭・脱色工程Ｃに送られ、その臭いと色が臭い・色検出器１２により検出される。そして、それらの検出値は臭い・色判定器１３に送られ、それぞれあらかじめ設定してある基準値と比較される。
【００１８】
臭いおよび色のうち少なくとも１つが基準値を上回っているときには、水溶液１１は脱臭・脱色処理装置１４に送られ、脱臭・脱色処理が行われた後、脱臭・脱色後の臭いおよび色がふたたび臭い・色検出器１２により検出される。
【００１９】
そして、その検出値は臭い・色判定器１３に送られ、前回と同じように基準値と比較される。臭いまたは色が基準値を上回っているときには、水溶液１１は再度脱臭・脱色処理装置１４に送られ脱臭または脱色される。
【００２０】
最初の脱臭・脱色判定で、あるいは１回以上の脱臭・脱色処理後の脱臭・脱色判定で、いずれの基準値をも下回った水溶液１１は、脱臭・脱色済み水溶液１５として実用に供せられる。
【００２１】
処理剤としては、脱臭のみの処理を施す場合には、木炭やゼオライトを使用する。また、脱色のみの処理を施す場合には、ミクロフィルタ−を使用する。脱臭および脱色処理を同時に行う場合には、活性炭（石炭系、ヤシ殻）
を使用する。
【００２２】
処理剤は、水溶液が浸透できる程度の孔をもつ袋のようなものに入れて、容器の中の水溶液に浸しておけばよい。また、水溶液と処理剤を分離回収できるように、容器にフィルタ−を設置し、処理剤をそのまま入れてもよい。
【００２３】
臭いを検出する計測器としては、臭気指数を計測できる臭いセンサがあり、色を検出する計測器としては色度計がある。
【００２４】
図３は、図１や図２に示した処理フロ−において、脱臭あるいは脱色処理をバッチ的に行う場合の一例を示す図である。この場合には、容器２１に木炭、活性炭またはゼオライト等の処理剤２２を投入して、水溶液の脱臭・脱色の処理を行う。この場合の臭いを検出する検出器としては、臭気指数を検出できる臭いイセンサがあり、色を検出する検出器としては色度計があり、容器２１にこれらの検出器２３を設置し、計測結果を基に合否の判別を行う。
【００２５】
図４は、図１や図２に示した処理フロ−において、脱臭あるいは脱色処理を連続的に行う場合の一例を示す図である。この場合には、脱臭、脱色処理の必要な水溶液が入っている容器３１から、配管３２を通してポンプ３３により水溶液を送りだし、配管の途中に設けた木炭、活性炭またはゼオライト等の処理剤を充填した処理槽３４を通過させた後、同じく配管３２の途中に
設けた臭いセンサまたは色時計等の検出器３５で臭いまたは色を検出し、
検出信号を判定器３６に送って合否の判定を行う。
【００２６】
判別器３６での合否判定結果が合格の場合には、配管３２の途中に配置された三方弁３７に合格の信号が送られ、三方弁３７は処理された後の水溶液が、合格の水溶液を貯蔵する容器３８に蓄えられるように作動する。
【００２７】
判別器３６での合否判定結果が不合格の場合には、配管３２の途中に配置された三方弁３７に不合格の信号が送られ、三方弁３７は処理された後の水溶液が、戻り管３９を通って処理前の水溶液が入っている容器３１に戻ることができるように作動する。
【００２８】
図５は、需要家側において処理を施す場合の一例を示す図である。この例は、包接水和物のスラリを冷熱搬送媒体および蓄熱剤として用いる場合であるが、夜間に蓄熱槽４１に蓄えられた水溶液は、製造ポンプ４２により包接水和物スラリ熱交換器４３に送られる。包接水和物スラリ熱交換器４３には、冷凍機４４で製造され冷水が供給されており、水和物スラリ熱交換器４３に送られた水溶液は、冷水により冷却されて包接水和物スラリとなり、蓄熱槽４１に蓄えられる。
【００２９】
一方、水溶液を冷却して温度が上昇した冷水は、冷水ポンプ４５により冷却塔４６に送られ、ある程度冷却された後、冷却水ポンプ４７により再び冷凍機４４に送られ、冷却された後、水溶液冷却用冷水として包接水和物スラリ熱交換器４３に送られる。
【００３０】
蓄熱槽４１に蓄えられている包接水和物スラリは、昼間冷熱搬送ポンプ４８により、配管４９を通して各室に設置されている空調機５０に搬送される。そして、空調機５０では、包接水和物スラリの保有する冷熱が放出されて、包接水和物スラリは水溶液となる。
【００３１】
水溶液は戻り配管５１により蓄熱槽４１に戻されるが、戻り配管５１の途中には連続比色計５２が設けられており、ここで水溶液の色が検出される。そして、脱色処理が必要と判定されたときには、連続比色計５２の下流側に設けられた三方弁５３が作動し、水溶液は活性炭５４が配置されたバイパス管５５を流れ、脱色処理が行われる。反対に、脱色処理が不要と判定されたときには、三方弁５３は作動せず、水溶液は活性炭５４が配置されていない本管５６を通る。
【００３２】
また、蓄熱槽４１には臭いセンサ５７が設置されており、戻ってきた水溶液の臭いが問題となる値である場合には、臭いセンサ５７からの指令により三方弁５３が作動し、水溶液はバイパス管５５を流れ、脱臭処理が行われる。
【００３３】
【発明の効果】
本発明により、人間の視覚や嗅覚に不快感を与えない包接水和物生成物質を含む水溶液、包接水和物のスラリ、包接水和物生成物質を含む水溶液からなる冷熱輸送媒体または蓄熱剤を得ることができる。
【図面の簡単な説明】
【図１】本発明の包接水和物生成物質を含む水溶液の第一の製造工程を示す工程図である。
【図２】本発明の包接水和物生成物質を含む水溶液の第二の製造工程を示す工程図である。
【図３】脱臭あるいは脱色処理をバッチ的に行う場合の一例を示す図である。
【図４】脱臭あるいは脱色処理を連続的に行う場合の一例を示す図である。
【図５】需要家側において処理を施す場合の一例を示す図である。
【符号の説明】
１  水溶液
２  検出器
３  臭い判定器
４  脱臭処理装置
５  色検出器
６  色判定器
７  脱色処理装置
８  脱臭・脱色済み水溶液
１１  水溶液
１２  臭い・色検出器
１３  臭い・色判定器
１４  脱臭・脱色処理装置
１５  脱臭・脱色済み水溶液
２１  容器
２２  処理剤
２３  検出器
３１  容器
３２  配管
３３  ポンプ
３４  処理槽
３５  検出器
３６  判定器
３７  三方弁
３８  容器
３９  戻り管
４１  蓄熱槽
４２  製造ポンプ
４３  包接水和物スラリ熱交換器
４４  冷凍機
４５  冷水ポンプ
４６  冷却塔
４７  冷却水ポンプ
４８  冷熱搬送ポンプ
４９  配管
５０  空調機
５１  戻り配管
５２  連続比色計
５３  三方弁
５４  活性炭
５５  バイパス管
５６  本管
５７  臭いセンサ
【図１】
2004263090.tif 000003
【図２】
2004263090.tif 000004
【図３】
2004263090.tif 000005
【図４】
2004263090.tif 000006
【図５】
2004263090.tif 000007